(57)【要約】【課題】飼い主が他界した後などの飼い主によるケアができなくなったペットの生活の保証を契約によって担保するため、契約対象のペットを確実に識別し、実行を監視することにより、契約で担保した履行事項の実行を間違いなく行うことを支援するペットライフケアシステムを提供する。【解決手段】ペットライフケアセンター１００、ネットワーク１０５、ペット引き取り車両１０６、ペットケアルーム１０８、動物病院１１０と、ペット１１１、飼い主１１２、飼い主の生命保険金受け取り人１１３から全体イメージが構成される。ペットライフケアセンター１００は、ペットライフケア業者で運営されており、ペットデータベース１０１、発行手段１０２、報告作成手段１０３、特徴登録手段１０４から構成されている。【選択図】図１
2007280339.tif 000002
【特許請求の範囲】
【請求項１】
ペットのライフケアを保証するシステムにおいて、
前記ペットの特徴情報を登録する特徴登録手段を構成要素として含み、
前記ペットの飼い主の死後における前記ペットのライフケアを履行項目とするペットライフケア契約を作成し、該ライフケアの実行者が前記特徴情報を照会することにより、該契約対象のペットに対する契約項目履行を担保することを特徴とするペットライフケアシステム。
【請求項２】
前記ペットライフケア契約は、前記飼い主、前記飼い主の生命保険契約の受取人、そしてペットライフケア業者の間で結ばれる３者契約であることを特徴とする特許請求項第１項記載のペットライフケアシステム。
【請求項３】
前記ペットライフケア契約は、前記飼い主の生命保険契約の付帯契約もしくは遺言であることを特徴とする特許請求項第１項乃至２項記載のペットライフケアシステム。
【請求項４】
ペットのライフケアを保証するシステムにおいて、
前記ペットの特徴情報を登録する特徴登録手段を構成要素として含み、
飼い主が前記ペットのライフケアを出来なくなった場合もしくは、前記飼い主からの通知があった場合における前記ペットのライフケアを履行項目とするペットライフケア契約を作成し、該ライフケアの実行者が前記特徴情報を照会することにより、該契約対象のペットに対する契約項目履行を担保することを特徴とするペットライフケアシステム。
【請求項５】
特許請求項第４項のペットライフケア契約はペットライフケア業者と前記飼い主とで結ばれ、契約時に預託金を預かる負担付き贈与契約であり、前記預託金は前記ペットの余命に基づいて所定の期間が経過する毎に払い戻されることを特徴とするペットライフケアシステム。
【請求項６】
特許請求項第１項乃至第３項記載のシステムにおいて、さらに、前記契約対象のペットのペットデータベースを備え、前記ペットの特徴情報、前記ペットライフケア契約のペットライフケア契約ＩＤ情報、前記生命保険契約の生命保険契約ＩＤ情報から選ばれる少なくとも１つの情報を管理することを特徴とするペットライフケアシステム。
【請求項７】
特許請求項第４項乃至第５項記載のシステムにおいて、さらに、前記契約対象のペットのペットデータベースを備え、前記ペットの特徴情報、前記ペットライフケア契約のペットライフケア契約ＩＤ情報から選ばれる少なくとも１つの情報を管理することを特徴とするペットライフケアシステム。
【請求項８】
特許請求項第１項乃至第７項記載のシステムにおいて、さらに、前記契約対象のペットに対してペットＩＤ情報を発行する発行手段を備え、該ペットＩＤ情報を格納した情報媒体を前記ペットに固定するとともに、前記ペットＩＤ情報を前記ペットデータベースに登録することを特徴とするペットライフケアシステム。
【請求項９】
前記ペットデータベースに格納された情報は、前記ペットＩＤ情報に関連づけられており、前記情報媒体に格納されたペットＩＤ情報をキーに所望の情報を呼び出して照会もしくは閲覧出来るように保存されていることを特徴とする特許請求項第６項乃至第８項記載のペットライフケアシステム。
【請求項１０】
特許請求項第１項乃至第９項記載のシステムにおいて、さらに、前記情報媒体からペットＩＤ情報を読み出し前記ペットデータベースに照会する照会手段と前記ペットデータベースにライフケア実行を記録する履行記録手段を構成要素として持つライフケア支援端末を備え、前記契約対象のペットに対して間違いなく前記契約項目履行を行うことを支援し、該契約項目の履行を前記ペットデータベースに前記ペットＩＤ情報に関連づけて記録することを特徴とするペットライフケアシステム。
【請求項１１】
前記特徴情報は、前記ペットの画像、生体情報、テキスト情報から選ばれる少なくとも１つであることを特徴とする特許請求項第１項乃至第１０項記載のペットライフケアシステム。
【請求項１２】
前記情報媒体は、ＲＦＩＤ（無線ＩＣタグ）、マイクロチップ、バーコード、２次元コードから選ばれる少なくとも１つであることを特徴とする特許請求項第１項乃至第１１項記載のペットライフケアシステム。
【請求項１３】
前記ペットのライフケアは、前記ペットの引き取り、前記ペットへの飼育、前記ペットへの医療処置（健康診断を含む）、前記ペットの葬儀（埋葬を含む）から選ばれる少なくとも１つであることを特徴とする特許請求項第１項乃至第１２項記載のペットライフケアシステム。
【請求項１４】
特許請求項第１項乃至第１３項記載のシステムにおいて、前記ペットＩＤ情報を参照して、前記ペットライフケア契約の対象となるペット別にライフケア履歴データを作成する報告作成手段を備え、前記契約で設定する監視人の必要に応じて前記契約のペットライフケア報告書を作成する支援を行うことを特徴とするペットライフケアシステム。
【請求項１５】
特許請求項第１項乃至第１４項記載のシステムにおいて、前記ペットのライフケアを実行する場所にはｗｅｂカメラが設置されており、前記契約で設定する監視人に対して該ｗｅｂカメラの映像を提供することによって前記ライフケアの実行状況を確認する支援を行うことを特徴とするペットライフケアシステム。
【請求項１６】
前記映像へのアクセスは、前記ペット毎に設定されるパスワードにより制限されており、該アクセスの制限は、前記ペットＩＤ情報を参照してダイナミックに変更されることを特徴とする特許請求項第１５記載のペットライフケアシステム。
【発明の詳細な説明】
【技術分野】
【０００１】本発明は、ペットの飼い主の死後におけるペットの生活を支援するシステムに関するものであり、特にペットの飼い主による契約によって飼い主の死後におけるペットのライフケアを担保するシステムに関するものである。
【背景技術】
【０００２】最近、ペットの家庭における地位の向上は目覚ましいものがあり、飼い主にとっては家族同然の待遇を受けるペットも珍しくない。【０００３】老齢期を迎えた飼い主が、自身の死後におけるペットの生活に頭を悩ますことも多く、飼い主の他界後のペットの世話を保証することに対するニーズが高まってきている。【０００４】従来は、飼い主と信頼関係のある人物や遺族にペットの世話を託し、託した人物を信用する他なかった。すなわち、死後のペットの世話を担保する方法がないという問題があった。【０００５】そこで本発明の発明者は、鋭意検討の末、ペットの世話を履行項目とする契約によって担保するシステムを考案するに至った。ペットの世話には、ある程度経済的負担を強いるものであるため、生命保険の付帯契約もしくは、保険金の受け取り人と契約を結ぶことにより、保険金の一部をペットの世話に充てるシステムである。【０００６】生命保険を利用したシステムとしては、特許文献１にある契約者の角膜形状データの保管を付帯契約に基づいて保管するシステムがあるが、ペットの世話を担保するというような利用のアイデアを考案したものは見あたらない。
【特許文献１】特開２００３−３０３３９
【０００７】契約に基づいて、飼い主の死後、ペットの世話を行うためには、契約者のペットを契約の対象として識別できなければならないが、動物の場合、戸籍など認証のための仕組みがある人間のように識別するのは容易なことではないという問題があった。【０００８】また、ペット自身が契約の不履行を訴えることができないため、契約の履行を監視するニーズもある。
【発明の開示】
【発明が解決しようとする課題】
【０００９】契約によって、飼い主の死後におけるペットの世話を担保し、飼い主が安心できるペットライフケアシステムを提供することが本発明の課題である。
【課題を解決するための手段】
【００１０】請求項１に記載の発明では、ペットのライフケアを保証するシステムにおいて、前記ペットの特徴情報を登録する特徴登録手段を構成要素として含み、前記ペットの飼い主の死後における前記ペットのライフケアを履行項目とするペットライフケア契約を作成し、該ライフケアの実行者が前記特徴情報を照会することにより、該契約対象のペットに対する契約項目履行を担保することを特徴とするペットライフケアシステムを採用した。【００１１】請求項２の発明では、請求項１記載のペットライフケアシステムにおいて、前記ペットライフケア契約は、前記飼い主、前記飼い主の生命保険契約の受取人、そしてペットライフケア業者の間で結ばれる３者契約であることを特徴とする。【００１２】請求項３の発明では、請求項１乃至請求項２記載のペットライフケアシステムにおいて、前記ペットライフケア契約は、前記飼い主の生命保険契約の付帯契約もしくは遺言であることを特徴とする。【００１３】請求項４の発明では、ペットのライフケアを保証するシステムにおいて、前記ペットの特徴情報を登録する特徴登録手段を構成要素として含み、飼い主が前記ペットのライフケアを出来なくなった場合もしくは、前記飼い主からの通知があった場合における前記ペットのライフケアを履行項目とするペットライフケア契約を作成し、該ライフケアの実行者が前記特徴情報を照会することにより、該契約対象のペットに対する契約項目履行を担保することを特徴とする。【００１４】請求項５の発明では、請求項４記載のペットライフケアシステムにおいて、ペットライフケア契約はペットライフケア業者と前記飼い主とで結ばれ、契約時に預託金を預かる負担付き贈与契約であり、前記預託金は前記ペットの余命に基づいて所定の期間が経過する毎に払い戻されることを特徴とする。【００１５】請求項６の発明では、請求項１乃至請求項３記載のペットライフケアシステムにおいて、さらに、前記契約対象のペットのペットデータベースを備え、前記ペットの特徴情報、前記ペットライフケア契約のペットライフケア契約ＩＤ情報、前記生命保険契約の生命保険契約ＩＤ情報から選ばれる少なくとも１つの情報を管理することを特徴とする。【００１６】請求項７の発明では、請求項４乃至請求項５記載のペットライフケアシステムにおいて、前記契約対象のペットのペットデータベースを備え、前記ペットの特徴情報、前記ペットライフケア契約のペットライフケア契約ＩＤ情報から選ばれる少なくとも１つの情報を管理することを特徴とする【００１７】請求項８の発明では、請求項１乃至請求項７記載のペットライフケアシステムにおいて、さらに、前記契約対象のペットに対してペットＩＤ情報を発行する発行手段を備え、該ペットＩＤ情報を格納した情報媒体を前記ペットに固定するとともに、前記ペットＩＤ情報を前記ペットデータベースに登録することを特徴とする。【００１８】請求項９の発明では、請求項６乃至請求項８記載のペットライフケアシステムにおいて、前記ペットデータベースに格納された情報は、前記ペットＩＤ情報に関連づけられており、前記情報媒体に格納されたペットＩＤ情報をキーに所望の情報を呼び出して照会もしくは閲覧出来るように保存されていることを特徴とする。【００１９】請求項１０の発明では、請求項１乃至請求項９記載のペットライフケアシステムにおいて、さらに、前記情報媒体からペットＩＤ情報を読み出し前記ペットデータベースに照会する照会手段と前記ペットデータベースにライフケア実行を記録する履行記録手段を構成要素として持つライフケア支援端末を備え、前記契約対象のペットに対して間違いなく前記契約項目履行を行うことを支援し、該契約項目の履行を前記ペットデータベースに前記ペットＩＤ情報に関連づけて記録することを特徴とする。【００２０】請求項１１の発明では、請求項１乃至請求項１０記載のペットライフケアシステムにおいて、前記特徴情報は、前記ペットの画像、生体情報、テキスト情報から選ばれる少なくとも１つであることを特徴とする。【００２１】請求項１２の発明では、請求項１乃至請求項１１記載のペットライフケアシステムにおいて、前記情報媒体は、ＲＦＩＤ、マイクロチップ、バーコード、２次元コードから選ばれる少なくとも１つであることを特徴とする。【００２２】請求項１３の発明では、請求項１乃至請求項１２記載のペットライフケアシステムにおいて、前記ペットのライフケアは、前記ペットの引き取り、前記ペットへの飼育、前記ペットへの医療処置（健康診断を含む）、前記ペットの葬儀（埋葬を含む）から選ばれる少なくとも１つであることを特徴とする。【００２３】請求項１４の発明では、請求項１乃至請求項１３記載のペットライフケアシステムにおいて、さらに、前記ライフケアを前記ペットＩＤ情報を参照して、前記ペットライフケア契約の対象となるペット別にライフケア履歴データを作成する報告作成手段を備え、前記契約で設定する監視人の必要に応じてペットライフケア報告書を作成する支援を行うことを特徴とする。【００２４】請求項１５の発明では、請求項１乃至請求項１４記載のペットライフケアシステムにおいて、さらに、前記ペットのライフケアを実行する場所にはｗｅｂカメラが設置されており、前記契約で設定する監視人に対して該ｗｅｂカメラの映像を提供することによって前記ライフケアの実行状況を確認する支援を行うことを特徴とする。【００２５】請求項１６の発明では、請求項１５記載のペットライフケアシステムにおいて、前記映像へのアクセスは、前記ペット毎に設定されるパスワードにより制限されており、該アクセスの制限は、前記ペットＩＤ情報を参照してダイナミックに変更されることを特徴とする。
【発明の効果】
【００２６】飼い主の死後などにより飼い主がペットの世話を行わえなくなった時のために契約を作成し、ペットの世話を契約の履行事項とすることにより、その実行を担保すると共に、契約の対象であるペットを容易かつ確実に識別し、契約に基づくペットの世話を効率的に実行・記録し、その記録からペットの世話の報告を作成する技術的支援を行うシステムを提供することが出来る。
【発明を実施するための最良の形態】
【００２７】飼い主本人が他界しても、契約対象のペットを確実に識別し、間違いなくペットの世話を行うという目的をペットにＩＤ情報を付与して活用するシステムを導入することにより実現した。以下、本発明のシステムを採用した実施形態を説明する。
【実施例１】
【００２８】図１は本発明のシステムの構成と関係者を示した概念図である。ペットライフケアセンター１００、ネットワーク１０５、ペット引き取り車両１０６、ペットケアルーム１０８、動物病院１１０と、ペット１１１、飼い主１１２、飼い主の生命保険金受け取り人１１３から全体イメージが構成される。【００２９】ペットライフケアセンター１００は、ペットライフケア業者で運営されており、ペットデータベース１０１、発行手段１０２、報告作成手段１０３、特徴登録手段１０４から構成されている。【００３０】ペット１１２の世話を求める飼い主１１３が、ペットライフケアセンターに申し込むと、ペットライフケア業者に飼い主の生命保険金受け取り人１１４を加えた３者による３者契約１１５を結び、飼い主の死後に支払われる保険金の一部をペットの世話に充てることを約する。ここでは本発明で支援する契約として上記のような３者契約を採用しているが、本発明で支援する契約はこれに限られるものではなく、生命保険契約の付帯契約としても、あるいは飼い主による弁護士を通して作成した法的に有効な遺言でもよい。付帯契約の場合、契約は飼い主と保険会社との契約となり、ライフケアサポート業者は保険会社から業務を委託される形となる。あるいは、飼い主、保険会社、そしてライフケアサポート業者との間の３者契約であっても良い。【００３１】上記は、ペットの世話に充てる資金を生命保険金の一部とするシステムを採用したものであるが、契約時に必要とする資金を全額預託金としてペットライフケア業者が預かる方式のシステムを採用することもできる。この場合、ペットの余命が毎年減じていくことから、それに応じて、ライフケアに要する費用も減じていくことになるので、毎年減少分に応じた金額を飼い主に払い戻すシステムとなる。【００３２】発行手段１０２で契約の対象であるペット１１２に対してペットＩＤ情報を発行し、特徴登録手段１０４で登録した特徴情報とともにペットデータベース１０１に保存する。ここで特徴情報はペットＩＤ情報と関連づけられている。ペットデータベース１０１には、契約に基づいて行われるケアが、ペットＩＤ情報と関連づけて蓄積保存されていく。報告作成手段１０３は、契約履行の監視人の要求などの必要に応じて、ペットＩＤ情報をキーとして所望のペットのケア履歴を選別し、報告を自動作成する。【００３３】ネットワーク１０５は、社内ＬＡＮ、公衆回線（パケット通信網）およびインターネットから構成されている。ここで本発明のネットワークの構成は、これに限定されるものではなく、例えば専用回線のみで構成するものでも、あるいは公衆回線のみで構成しても良い。【００３４】ペット引き取り車両１０６は、契約の飼い主の他界時などにペットを引き取るなどのペット運搬に用いられる車両である。ここで車両を運転する引き取り担当者はネットワーク１０５に接続可能な端末Ａ１０７でペットの照会や引き取りの記録を行う。【００３５】端末によるペットの照会を行うことにより、契約対象のペットと初対面の引き取り担当者でも、容易にペットを認証してペットの引き取りを間違いなく行うことができる。【００３６】ペットケアルーム１０８において、ケア担当者は端末Ｂ１０９を用いて、ペットの照会とペットに施したケアの記録を行う。【００３７】端末によるペットの照会を行うことにより、ケア担当者は多数のペットを担当していても、それぞれのペットを識別してペットのケアを間違いなく行うことができる。【００３８】動物病院１１０において、獣医は端末Ｃ１１１を用いて、ペットの照会とペットに施した医療処置の記録を行う。このとき獣医は、必要に応じて対象のペットの医療処置履歴を端末Ｃから閲覧することが出来る。閲覧の動作については、後でフローを説明するときに端末の構成とともに説明する。【００３９】図２は、本発明のシステムの支援動作を示したフローチャートである。【００４０】（Ｓ１：契約ステップ）
飼い主からの申し込みがあると、契約ステップＳ１に進み、飼い主の死後に支払われる保険金の一部をペットの世話に充てることを約する３者契約１１５を結び、ペット１１２に対してペットＩＤ情報を発行し、特徴登録手段１０４で登録した特徴情報とともにペットデータベース１０１に保存する。このときペットに対しては、契約の対象として登録した証として、ペットＩＤ情報を格納した情報体を付与される。【００４１】図３は情報媒体とペットへの装着を示した概略図である。情報媒体３００はペットＩＤ情報を記憶するＩＣチップ３０１と短距離無線アンテナ３０２とから構成されるＲＦＩＤである。３０３に示すように首輪としてペットに装着固定する。ここで情報媒体としてＲＦＩＤを採用したが、本発明の情報媒体はこれに限られるものではなく、バーコード、２次元コードを印刷したカードであっても、マイクロチップにペットＩＤ情報を格納しペットの体内に埋め込んでも、あるいは、これらを複数組み合わせたものでも良い。【００４２】  ペットデータベース１０１のデータフォーマットを図４に示した。ペットＩＤ情報４０１、ペットの名前４０２、ペットの画像データ４０３、移動記録４０４、デイリーケア記録４０５、医療処置記録４０６、葬儀記録４０７という構成である。ペットＩＤ情報４０１、ペットの名前４０２、そしてペットの画像データ４０３は、Ｓ１において登録される。本発明は、ここで示したデータフォーマットに限られるものではなく、例えば、契約項目を容易に確認できるように、本発明のライフケアを担保している契約を特定するペットケアライフ契約ＩＤ情報や生命保険契約ＩＤ情報を含むフォーマットであっても良い。【００４３】  ここでペットの画像データ４０３は、特徴登録手段１０４取得したものである。本実施例では特徴登録手段１０４としてデジタルカメラが採用されているが、本発明の特徴登録手段はこれに限られるものではなく、動物の特徴をテキスト入力するものや、血液や体毛を採取してＤＮＡ情報を抽出するシステムでも、虹彩情報や静脈情報を抽出する撮像装置でも、あるいはこれら複数を組み合わせたものでもよい。【００４４】（Ｓ２：引き取りステップ）
飼い主が他界すると、契約に従ってペットを引き取りペットケアルーム１０８へ移動させる。このとき引き取り担当者は、契約履行に当たって端末Ａ１０７でペットの照会を行う。あるいは、伝染病の検査などの健康診断のため、一旦動物病院１１０に送られる。【００４５】図５は端末Ａの構成を示した概略図である。端末本体５０１は、ＲＦＩＤリーダー機能を備え、ＲＦＩＤ３００に格納されたペットＩＤ情報を読み取り、ＮＴＴドコモのｉモード（無線パケット網）を通じてインターネット接続したペットケアセンター１００内のペットデータベース１０１に対してアクセスし、照会を行う。このときペットの契約対象認証のため対象ペットの画像を呼び出し、端末Ａに表示する。図６の６００は、端末５０１に表示された画像の概念図である。認証されたら、移動し、引き取りの記録をペットＩＤ情報に関連づけてペットデータベース１０１に対して行う。【００４６】本発明の特徴情報を利用した認証はこれに限られるものではなく、契約対象認証のための情報が生体情報の場合、引き取り場所にいる動物の体毛や血液などのサンプルを採取し、所定の生体情報抽出装置によって取得された生体情報とペットデータベース１０１に保存された生体情報とのマッチングを行うものであってもよい。あるいは、テキスト情報を利用した認証であって、テキストで記述された特徴の有無を引き取り担当者が自己の五感でチェックすることであってもよい。【００４７】（Ｓ３：ライフケアステップ）
引き取られたペットは食事など日常ケア・医療処置を受け、必要に応じてそれらケアの報告が行われる。日々のケアは、ペットケアルーム１０８において、行われる。デイリーケアの度に情報媒体を端末Ｂを用いて読み出し、対象ペットの認証をおこない。ケアの記録をペットＩＤ情報に関連づけてペットデータベース１０１に対して保存する。図７はペットデータベース１０１に保存されたケア記録の一部である。【００４８】  端末Ｂの構成は、端末Ａと同様でよい。本発明の端末構成はこれに限られるものではなく、ペットケアルーム１０８とペットライフケアセンター１００を社内無線ＬＡＮで結び、端末Ｂは無線ＬＡＮ機能と情報媒体の読み取り機能を備える構成でもよい。【００４９】  引き取られたペットが病気になったり、怪我をした場合、動物病院１１０に送られ、獣医によって必要な医療処置が行われる。このとき獣医は必要に応じて、端末Ｃ１１１で情報媒体からペットＩＤ情報を読み出して、ペットデータベース１０１にアクセスし、医療処置記録を端末Ｃのモニター画面から閲覧して、適切な医療処置を行う補助とすることができる。そして、施した医療処置をペットデータベース１０１に記録する。
あるいは、引き取りステップにおいて、引き取られたペットをまず動物病院に移動させ、伝染病などの検査を含む健康診断を行うライフケアを行うこともある。【００５０】図８は端末Ｃ１１１の構成を示したものである。ネットワーク接続機能を備えたパソコン７０１、ＲＦＩＤリーダー７０２という構成で、ＲＦＩＤ３００に格納されたペットＩＤ情報を読み出して、ペットＩＤ情報をキーに過去の医療処置履歴を呼び出して、パソコン７０１の画面に表示し医療支援に役立てることができる。図９はペットデータベース１０１に格納された医療処置記録の一部である。【００５１】ライフケアの期間中は、契約の監視人からの要求など必要に応じて、報告を行う。報告はペットＩＤ情報をキーにペットデータベース１０１に格納された情報を抽出することで自動作成されるライフケア履歴データを所定の閲覧フォーマットに落とし込んだ報告データの提出によって行われるので、非常に効率的である。また、契約履行の確認にも便利である。図１０は報告データの抜粋である。【００５２】図１１に示した詳細図に記されているように、日常ケアを主として実行する現場であるペットケアルームにｗｅｂカメラ１１０１が設置されている。ｗｅｂカメラはインターネット１１０２に接続しており、アクセス権限のある契約の監視人などにインターネット経由で映像が提供される。アクセス権はその現場にいるペットのペットＩＤ情報によって随時変更されるため、現場にいるペットが別のペットに変わると、別のペットの権限を持つものにアクセス権が移る。【００５３】図１２は監視人がインターネット１１０２に接続したパソコン１２０１からペットケアルーム１０８におけるケアの実行を閲覧する様子を示した概念図である。パソコンのモニターには監視人の契約の対象とするペットの画像１２０２が映し出されている。ペットの名前が映し出された画面上のクレジット１２０３は、インターネット経由でペットケアセンターのペットＩＤ情報に照会して得た情報を利用している。この照会のためのぺえとＩＤ情報は、先に説明したペットケア実行者が利用する端末Ｂにより、ペットに固定された情報媒体から読み出したものである。【００５４】ここではｗｅｂカメラをペットケアルームに設置しているが、本発明のｗｅｂカメラは、動物病院やペット引き取り車両などのペットをライフケアを履行する場所ならどこに設置してもよい。また、ｗｅｂカメラを接続するネットワークはインターネットに限られるものではなく、監視人がアクセスできるネットワークならば、社内ＬＡＮや専用回線、あるいは携帯電話の無線パケット網などであってもよい。【００５５】（Ｓ４：葬儀ステップ）
やがてペットも他界する時を迎える。その時、情報媒体を読み出して照会することで、間違いなく契約対象のペットが他界したことを確認し、葬儀・埋葬を行い、ペットデータベース１０１に記録し、必要に応じて契約の監視人に報告を行う。
【産業上の利用可能性】
【００５６】飼い主がいなければ、その生命さえも危ういペットの生活を契約によって、飼い主自身が他界した後など飼い主の保護が無くなっても保証することができる。契約事項の実行が確実になるために契約対象の識別を技術的に支援し、飼い主でなければ識別に困難のあるペットという対象に対するライフケアを容易にしたり、ライフケアの監視を可能にすることにより、家庭内で地位が向上したペットの生活を人間の家族同様に保証したいというニーズに応え、ペット産業の発展に寄与することが出来る。
【図面の簡単な説明】
【００５７】
【図１】  システムの構成と関係者を示した概念図
【図２】  システムの支援動作を示したフローチャート
【図３】  情報媒体とペットへの装着を示した概略図
【図４】  データフォーマット
【図５】  端末Ａの構成
【図６】  端末に表示された画像の概念図
【図７】  ペットデータベースに保存されたケア記録
【図８】  端末Ｃの構成
【図９】  ペットデータベースに格納された医療処置記録
【図１０】  報告データの抜粋
【図１１】  ペットケアルームの詳細図
【図１２】  ケアの実行を閲覧する様子を示した概念図
【符号の説明】
【００５８】１００    ペットライフケアセンター
１０６    ペット引き取り車両
１０８    ペットケアルーム
１１０    動物病院
【図１】
2007280339.tif 000003
【図２】
2007280339.tif 000004
【図３】
2007280339.tif 000005
【図４】
2007280339.tif 000006
【図５】
2007280339.tif 000007
【図６】
2007280339.tif 000008
【図７】
2007280339.tif 000009
【図７】
2007280339.tif 000010
【図９】
2007280339.tif 000011
【図１０】
2007280339.tif 000012
【図１１】
2007280339.tif 000013
【図１２】
2007280339.tif 000014
【手続補正書】
【提出日】平成18年7月6日(2006.7.6)
【手続補正１】
【補正対象書類名】図面
【補正対象項目名】全図
【補正方法】変更
【補正の内容】
【図１】
2007280339.tif 000015
【図２】
2007280339.tif 000016
【図３】
2007280339.tif 000017
【図４】
2007280339.tif 000018
【図５】
2007280339.tif 000019
【図６】
2007280339.tif 000020
【図７】
2007280339.tif 000021
【図８】
2007280339.tif 000022
【図９】
2007280339.tif 000023
【図１０】
2007280339.tif 000024
【図１１】
2007280339.tif 000025
【図１２】
2007280339.tif 000026